(57)【要約】【課題】意匠性を向上させるために透明の外装板に画像を表示することができる乗客コンベアを得る。【解決手段】トラス１内には、複数の踏段２が踏段チェーン５により無端状に連結されている。各踏段２は、トラス１内で循環移動される。トラス１内には、映写装置であるプロジェクタ１２が設けられている。トラス１の幅方向両側には、光を透過可能な外装パネル１４が設けられている。外装パネル１４は、トラス１に固定されている。外装パネル１４は、透明板１６と、透明板１６のトラス１内部側の面に貼られた光透過型スクリーン１７とを有している。光透過型スクリーン１７は、光を一定の割合で透過し、かつ反射するようになっている。プロジェクタ１２からの映写画像は、光透過型スクリーン１７に映し出される。【選択図】図３
2005089092.tif 000002
【特許請求の範囲】
【請求項１】
循環移動される踏段を支持するトラス、
光透過型スクリーンを有し、上記トラスに対して固定された透明外装部材、及び
上記光透過型スクリーンに像を映し出す映写装置
を備えていることを特徴とする乗客コンベア。
【請求項２】
上記映写装置は、上記トラス内に配置されていることを特徴とする請求項１に記載の乗客コンベア。
【請求項３】
上記映写装置は、上記踏段の往路側と帰路側との間に配置されていることを特徴とする請求項２に記載の乗客コンベア。
【発明の詳細な説明】
【技術分野】
【０００１】
この発明は、例えばエスカレータや動く歩道等の乗客コンベアに関するものである。
【背景技術】
【０００２】
従来の乗客コンベアでは、トラス内の踏段等の機構部分の動きを一般客に見せるために、トラスを覆う外装板が透明とされることがある（例えば、特許文献１参照）。
【０００３】
【特許文献１】実開平４−１３０２８１号公報
【発明の開示】
【発明が解決しようとする課題】
【０００４】
しかし、外装板に例えば広告等をプリントすると、トラスの内部機構の動きが見えにくくなってしまう。
【０００５】
この発明は、上記のような問題点を解決することを課題としてなされたものであり、透明の外装板に画像を表示することができ、トラスの内部機構の動きと外装板に表示された画像とを外部に同時に見せることができる乗客コンベアを得ることを目的とする。
【課題を解決するための手段】
【０００６】
この発明に係る乗客コンベアは、循環移動される踏段を支持するトラス、光透過型スクリーンを有し、トラスに対して固定された透明外装部材、及び光透過型スクリーンに像を映し出す映写装置を備えている。
【発明の効果】
【０００７】
この発明に係る乗客コンベアでは、映写装置により像が映し出される光透過型スクリーンが透明外装部材に用いられているので、透明外装部材に像を映し出すことができ、トラスの内部機構の動きと透明外装部材に映し出された像とを外部に同時に見せることができる。
【発明を実施するための最良の形態】
【０００８】
実施の形態１．
図１は、この発明の実施の形態１によるエスカレータを示す側面図である。図において、トラス（主枠）１の長手方向一端部（上端部）には、上部スプロケット３が配置されている。トラス１の長手方向他端部（下端部）には、下部スプロケット４が配置されている。上部スプロケット３は、図示しない駆動装置により駆動される。
【０００９】
トラス１には、無端状に連結された複数の踏段２が支持されている。各踏段２はトラス１内に配置されている。また、各踏段２は、踏段チェーン５により互いに連結されている。踏段チェーン５は、上部スプロケット３及び下部スプロケット４に巻き掛けられている。各踏段２は、駆動装置の駆動によりトラス１内を循環移動される。
【００１０】
トラス１上には、トラス１の長手方向に沿って延びた一対の欄干６が立設されている。欄干６は、透明ガラス製の欄干パネル１８を有している。なお、欄干６の周縁部には、移動手摺７が設けられている。
【００１１】
図２は図１のエスカレータを示す要部側面図であり、図３は図２のIII-III線に沿った断面図である。図において、各踏段２は、一対の駆動ローラ８及び一対の追従ローラ９を有している。トラス１内には、駆動ローラ８及び追従ローラ９がそれぞれ載せられた駆動ローラ用レール１０及び追従ローラ用レール１１が設けられている。駆動ローラ用レール１０及び追従ローラ用レール１１は、トラス１に対して固定されている。各踏段２は、駆動ローラ用レール１０及び追従ローラ用レール１１に案内されてトラス１内を循環移動される。
【００１２】
トラス１内には、映写装置である複数のプロジェクタ１２が設けられている。各プロジェクタ１２は、各踏段２の往路側と帰路側との間に配置されている。ここでは、プロジェクタ１２は、往路側及び帰路側のそれぞれの追従ローラ用レール１１間に配置されている。また、各プロジェクタ１２は、トラス１の長手方向に沿って間隔を置いて配置されている。各プロジェクタ１２は、トラス１内からトラス１の幅方向外側に向けて映写するようになっている。さらに、各プロジェクタ１２は、トラス１に対して固定された取付部材１３に取り付けられている。
【００１３】
トラス１の幅方向両側には、光透過性の透明外装部材である複数の外装パネル１４が配置されている。各外装パネル１４は、トラス１の長手方向に沿って配列されている。また、各外装パネル１４は、トラス１の上側部及び下側部にボルト１５により固定されている。さらに、各外装パネル１４は、透明ガラス製の透明板１６と、プロジェクタ１２により像１９が映し出されるシート状の光透過型スクリーン１７（いわゆる透明スクリーン）とを有している。光透過型スクリーン１７としては、例えば特開２００２−１４９１０２号公報に示された透過スクリーンや特開２００３−１２１９４４号公報に示されたホログラムスクリーン等が用いられる。光透過型スクリーン１７は、透明板１６のトラス内部側の面に貼られている。また、光透過型スクリーン１７は、トラス１の内部機構（例えば各踏段２及び踏段チェーン５等）の動きがトラス１の外部から認識可能な程度の透明度を有している。なお、透明板１６及び光透過型スクリーン１７の色は、無色である。
【００１４】
光透過型スクリーン１７には、プロジェクタ１２によって動画や静止画等の像１９が映し出されるようになっている。光透過型スクリーン１７に映し出される像１９は、エスカレータが設置される施設（建物）の用途に合わせて選ばれる。例えばショッピングセンター等の商業施設にエスカレータが設置される場合には大売り出しやお買い得情報等の宣伝用広告についての画像が、例えば博物館等の文化施設にエスカレータが設置される場合には博物館内に展示されている動物の生態やエスカレータの装置内の構造等の技術的説明についての画像が光透過型スクリーン１７に映し出される。また、トラス１の内部機構の動きにあわせた画像を光透過型スクリーン１７に映し出すようにしてもよい。
【００１５】
このようなエスカレータでは、光透過型スクリーン１７を有する外装パネル１４が用いられ、プロジェクタ１２によって光透過型スクリーン１７に像１９が映し出されるので、トラス１の内部機構の動きが見える状態のまま、外装パネル１４に像１９を表示することができる。これにより、トラス１の内部機構の動きに一般客の関心が集まり、外装パネル１４に表示された像１９の情報（例えば商品情報等）を一般客に効果的に浸透させることができる。また、像１９は光透過性のある外装パネル１４に映し出されるので、像１９の表示によってエスカレータの内部構造が見えにくくなることを防止することができる。さらに、像１９の表示のためにプロジェクタ１２が用いられているので、外装パネル１４に映し出される像１９の変更を容易にすることができる。
【００１６】
また、プロジェクタ１２は、トラス１内に配置されているので、エスカレータの外観への影響が小さくなり、エスカレータの意匠性の低下を防止することができる。
【００１７】
また、プロジェクタ１２は、各踏段２の往路側と帰路側との間に配置されているので、トラス１内の空間を有効に利用することができ、また取付部材１３も小さくなるので、プロジェクタ１２をトラス１内に配置するためのコストも削減することができる。
【００１８】
なお、上記の例では、光透過型スクリーン１７は透明板１６に貼られているが、光透過型スクリーン１７が板状のものであれば、透明板１６を用いずに光透過型スクリーン１７のみを外装パネル１４としてもよい。
【００１９】
また、上記の例では、透明板１６は透明ガラス板であるが、透明アクリル板であってもよい。さらに、透明板１６の色も、透明であれば着色されていてもよい。
【００２０】
また、上記の例では、プロジェクタ１２はトラス１内に配置されているが、光透過型スクリーン１７に像を映し出すことができる位置であればトラス１外にプロジェクタ１２を配置してもよい。この場合、プロジェクタ１２が取り付けられる取付部材はトラス１の外部側に固定される。
【００２１】
また、上記の例では、光透過型スクリーン１７は透明板１６のトラス１内部側の面に貼られているが、透明板１６のトラス１外部側の面に光透過型スクリーン１７を貼ってもよい。また、透明板１６のトラス１の内部側及び外部側の両面に光透過型スクリーン１７を貼ってもよい。さらに、２枚の透明板により光透過型スクリーン１７を挟んでもよい。
【００２２】
また、上記の例では、この発明がエスカレータに適用されているが、動く歩道にこの発明を適用してもよい。
【図面の簡単な説明】
【００２３】
【図１】この発明の実施の形態１によるエスカレータを示す側面図である。
【図２】図１のエスカレータを示す要部側面図である。
【図３】図２のIII-III線に沿った断面図である。
【符号の説明】
【００２４】
１  トラス、２  踏段、１２  プロジェクタ（映写装置）、１４  外装パネル（透明外装部材）、１７  光透過型スクリーン、１９  像。
【図１】
2005089092.tif 000003
【図２】
2005089092.tif 000004
【図３】
2005089092.tif 000005